(57)【要約】【課題】帯電粒子によるメモリ性を有する表示手段を備えたＩＣカードにおいて、表示の書き換え動作を確実に行い、表示品質に優れ、使いやすく利便性の良い表示付きＩＣカード及びそれを用いた通信システムを提供する。【解決手段】帯電粒子によるメモリ性を有する表示手段を備えたＩＣカードであって、表示手段の表示書き換え時に、外部から現在の表示中データと新しい書き換えデータとを入力し、２つのデータを比較して書き換えが必要な表示セグメントだけを書き換えるための表示データ記憶手段と駆動波形選択手段とを有し、表示中データと書き換え表示データは、非接触通信によって入力し、表示手段の表示書き換えは、非接触による電源供給を受けて動作する構成とした。これにより、表示の書き換え時にリセット動作が不要となり、ちらつきや残像のない表示品質に優れた表示付きＩＣカードを提供できる。【選択図】図１
2014002694.tif 000002
【特許請求の範囲】
【請求項１】
メモリ性を有する表示手段を備えた表示付きＩＣカードにおいて、
前記表示手段の表示を新たに書き換える際に、電源オフ状態時の表示中データと新たに書き換える書き換え表示データとを一時保管する一時保管手段と、
前記一時保管手段から前記表示中データのみを取り出して一時記憶する第１の一時記憶手段と、
前記第１の一時記憶手段から前記表示中データを取り出して一時記憶する第２の一時記憶手段と、を備え、
前記表示中データが、前記第１の一時記憶手段に一時記憶されているときに、前記表示手段の表示内容が書き換わらない条件のダミー駆動命令を出力して、前記第１の一時記憶手段から前記表示中データを取り出して前記第２の一時記憶手段へ移し、前記一時保管手段に入力されている前記書き換え表示データを前記第１の一時記憶手段へ入力する制御手段を有し、
さらに、前記表示中データと前記書き換え表示データを比較して、前記表示手段の表示を新たに書き換えるのに必要な駆動波形を選択する駆動回路を備えたことを特徴とする表示付きＩＣカード。
【請求項２】
前記表示中データと前記書き換え表示データとは、前記駆動回路の外部より一括して、前記一時保管手段へ入力されることを特徴とする請求項１に記載の表示付きＩＣカード。
【請求項３】
非接触通信用の非接触通信回路をさらに有し、前記表示中データと前記書き換え表示データとは、前記非接触通信回路によって前記一時保管手段へ一括して入力されることを特徴とする請求項１または２に記載の表示付きＩＣカード。
【請求項４】
前記表示中データを記憶する不揮発性メモリをさらに有し、前記表示中データは、前記不揮発性メモリに記憶され、前記不揮発性メモリから前記一時保管手段へ前記表示中データが移動することを特徴とする請求項１または２に記載の表示付きICカード。
【請求項５】
非接触による電源供給によって、電源オフ状態から電源オン状態となることを特徴とする請求項１から４のいずれか１項に記載の表示付きＩＣカード。
【請求項６】
請求項１から５のいずれか１項に記載の表示付きＩＣカードと、
該表示付きＩＣカードに対して非接触によって、前記書き換え表示データの入力と電源オン状態とする電源供給を行うリーダライタと、を含むことを特徴とする通信システム。
【発明の詳細な説明】
【技術分野】
【０００１】
本発明は、電気泳動表示素子による表示手段を備えた非接触の表示付きＩＣカード及びそれを用いた通信システムに関する。
【背景技術】
【０００２】
近年、消費電力が極めて少ないという観点から、メモリ性を有する表示素子が注目されている。メモリ性を有する表示素子としては、帯電粒子の移動によって表示を行う電気泳動表示素子や、液晶素子などが良く知られている。特に電気泳動表示素子を用いた電子ペーパーとも称される表示パネルは、コントラストが高く、表示品質が良好なため、電子ブック等の携帯型電子機器などへ搭載されている。
【０００３】
このような電気泳動表示素子の書き換え技術は、表示データ記憶部に、表示中のデータと新しく書き換えるための表示データとをそれぞれ記憶し、表示推移検出部によって表示データの推移を検出して、表示パネルの中で書き換えが必要なセグメントに対してのみ表示を反転させる表示反転パルスを出力する構成を採用している（例えば特許文献１参照）。
【０００４】
ここで、特許文献１による電気泳動表示素子を用いた表示パネルは、本発明で用いる表示パネルと同様であり、この表示パネル自体は公知ではあるが、本発明を理解する助けとなるので、電気泳動表示素子による表示パネルの構成と動作原理を図９〜図１２を用いて以下説明する。
【０００５】
［電気泳動表示素子を用いた表示パネルの構成と動作原理］
図９において、表示パネル５０は帯電粒子が電気泳動によって移動する電気泳動型表示パネルである。この表示パネル５０は、透明な樹脂基板５１の裏面全体にＩＴＯ（酸化インジューム錫）膜による透明な共通電極（コモン電極）ＣＯＭを形成し、その上に電子インクとも称されるマイクロカプセル表示層５３が形成されている。このマイクロカプセル表示層５３の表面に画素毎のセグメント電極ＳＥＧが形成されたフレキシブルプリント基板（以下ＦＰＣと略す）５５が接着剤層５４によって接着され構成される。
【０００６】
そして、マイクロカプセル表示層５３は、バインダや界面活性剤、増粘剤、純水等の混合体中に直径が数十μｍ程度の微小なマイクロカプセル６０が多数分散している。すなわち、表示パネル５０は、透明な樹脂基板５１とＦＰＣ５５が一対の基板として配設され、その対向面の一方に共通電極ＣＯＭが形成され、他方の面にセグメント電極ＳＥＧが形成され、その間にマイクロカプセル６０が封入されている。
【０００７】
次に、表示パネル５０の動作原理を図１０を用いて説明する。図１０において、マイクロカプセル６０は、透明なメタクリル樹脂等からなるカプセル殻６１の内部に、帯電粒子として酸化チタン等からなる白色粒子６３ａとカーボンブラック等からなる黒色粒子６３ｂが、シリコーンオイル等の粘性の高い透明な分散媒６２に分散された状態で封入されている。そして、白色粒子６３ａは負に帯電され、黒色粒子６３ｂは正に帯電されている。
【０００８】
そして、このマイクロカプセル表示層５３を挟むように配置された電極のうち、一方の全面一体の共通電極ＣＯＭを接地し、他方のＦＰＣ５５上のセグメント電極ＳＥＧに負電圧を印加した部分では、その電界によってマイクロカプセル６０内の負に帯電した白色粒子６３ａが透明な共通電極ＣＯＭ側へ、正に帯電した黒色粒子６３ｂはセグメント電極ＳＥＧ側へ移動するので、視認側（矢印Ａの方向）から見ると白く見える。一方、セグメン
ト電極ＳＥＧに正電圧を印加した部分では、その逆向きの電界によってマイクロカプセル６０内の正に帯電した黒色粒子６３ｂが透明な共通電極ＣＯＭ側へ、負に帯電した白色粒子６３ａはセグメント電極ＳＥＧ側へ移動するので、視認側から見ると黒く見える。
【０００９】
したがって、共通電極ＣＯＭとセグメント電極ＳＥＧとの間に印加する電圧の極性によって、白又は黒に表示状態を変化させることができる。このとき白色粒子６３ａと黒色粒子６３ｂは分散媒６２中を電気泳動によって移動するが、分散媒６２の粘度が高いので、電圧を印加して表示状態を変化させた後、その電圧の印加を停止しても、それぞれの粒子の分子間力により、その表示状態を保持するメモリ性効果を持つことが出来る。これにより、表示パネル５０は、表示を変化させる時だけ駆動電圧を印加すればよいので、消費電力が極めて少ないことが大きな特徴である。
【００１０】
次に図１１は、前述した表示パネル５０で数字等のキャラクタを表示するようにした一例を示している。図１１において、表示パネル５０は、セグメントＳ０〜Ｓ６によって成るセブンセグメントキャラクタＳＣを１桁表す表示体で構成されている。
【００１１】
この表示パネル５０は電極として１個の共通電極ＣＯＭと７個のセグメント電極を有している。この７個のセグメント電極とは、セグメントＳ０からセグメントＳ６に対応するセグメント電極ＳＥＧ０からＳＥＧ６である。また、表示パネル５０の下部より出ている８本の線はそれぞれ、共通電極ＣＯＭおよび７個のセグメント電極ＳＥＧ０〜ＳＥＧ６に接続されたリード線であり、それぞれのリード線は、接続される各セグメント電極と同一の名称を付して示している。そして、それぞれのリード線は、表示パネル５０を駆動するドライバ回路（ここでは図示せず）に接続される。
【００１２】
次に図１２は、図１１に示した表示パネル５０によるセブンセグメントキャラクタＳＣを（Ａ）の数字「２」を表示した状態から（Ｂ）の数字「３」を表示する状態へ変化させる場合を示している。図１２において、最初の（Ａ）の表示状態では、セグメントＳ０、Ｓ１、Ｓ３、Ｓ４及びＳ６が黒であり、セグメントＳ２，Ｓ５及び周囲領域Ｓ７が白である。そして、変化後の（Ｂ）の表示状態では、セグメントＳ０、Ｓ１、Ｓ２、Ｓ３及びＳ６が黒となり、セグメントＳ４、Ｓ５が白となる。
【００１３】
ここで実際に表示する駆動方法として、セブンセグメントキャラクタＳＣの表示状態を変化させるには、まず、（Ａ）の数字「２」を表示させるために、共通電極ＣＯＭは常に接地（すなわち０Ｖ）とし、セグメント電極ＳＥＧ０、ＳＥＧ１、ＳＥＧ３、ＳＥＧ４、ＳＥＧ６には一時的に正の駆動電圧を印加する。また、セグメント電極ＳＥＧ２、ＳＥＧ５には一時的に負の電圧を印加し、その後、全てのセグメント電極は共通電極ＣＯＭと同電位の０Ｖとする。
【００１４】
次に、（Ｂ）の数字「３」に表示を変化させるために、共通電極ＣＯＭは常に接地（すなわち０Ｖ）とし、白から黒に変化するセグメント電極ＳＥＧ２に一時的に正の駆動電圧を印加し、黒から白に変化するセグメント電極ＳＥＧ４には一時的に負の電圧を印加する。そしてその後、セグメント電極ＳＥＧ２とＳＥＧ４は共通電極ＣＯＭと同電位の０Ｖに戻すと共に、変化しないセグメント電極ＳＥＧ０、ＳＥＧ１、ＳＥＧ３、ＳＥＧ５、ＳＥＧ６は、０Ｖの印加を継続する。
【００１５】
このように、表示を黒、又は白に書き換えるセグメント電極には、一時的に正、又は負の電圧を印加し、表示が変化しない他のセグメント電極には共通電極ＣＯＭと同電位の０Ｖを継続するのは、前述したように表示パネル５０はメモリ性を有するため、前回の表示状態をそのまま保持することが出来るからである。以上が電気泳動表示素子を用いた表示パネルの構成と動作原理であり、このように、電気泳動表示素子による表示パネルはメモ
リ性を有しているので、電源オフになっても表示状態を保持することが出来る。
【００１６】
また、電気泳動表示素子を書き換える他の技術として、表示装置への電源供給が遮断（電源オフ）される前に、表示中の表示データをＥＥＰＲＯＭに記憶し、再電源オン時に表示データをＥＥＰＲＯＭから取得して電源オフ時の表示データを特定できる画像表示装置が知られている（例えば特許文献２参照）。この画像表示装置によれば、再電源オン時に表示中の終了時の表示データ（すなわち、ＥＥＰＲＯＭの記憶データ）を基準として、表示パネルの全書き換え、または部分書き換えを適切に実行出来ることが示されている。
【先行技術文献】
【特許文献】
【００１７】
【特許文献１】特開２００９−４８０７７号公報（９頁、図１）
【特許文献２】特開２０１０−１６９８８６号公報（１３頁、図１１）
【発明の概要】
【発明が解決しようとする課題】
【００１８】
しかしながら、特許文献１の表示装置は、電源が継続的にオン状態となっているため、揮発性のメモリである表示データ記憶部に表示中のデータと、これから書き換えるための新データを次々と記憶し、表示推移検出部によって表示データの推移を検出して表示パネルへの表示反転パルスを生成することができるが、表示装置がＩＣカードなどの電源レスの装置に組み込まれる場合は、電源供給が停止すると、表示データ記憶部の表示中のデータが消えるために、表示中データの推移を検出することができない問題がある。
【００１９】
このため、電源供給が再び開始された時（電源オン時）に、電源オフ時から表示されている表示中データが記憶されていないため、表示データの推移を検出することができず、現在表示している表示状態をすべて消去する必要が生じる。つまり、すべてのセグメントを黒、または白にするリセット動作を行い、表示状態を消去してからそのあとに、新しく表示を書き換える動作が必要になる。しかし、電源オン状態とするごとに表示のリセット動作を実施すると、表示が一瞬ではあるが全黒、または全白となってちらつきが発生するので、使用者に違和感を与えて好ましくない。
【００２０】
また、特許文献２の画像表示装置では、表示データを記憶するためにＥＥＰＲＯＭなどの不揮発性メモリを設けているが、不揮発性メモリ内の表示データと新たな書き換え表示データとを比較するための回路をさらに設けるなど、表示制御が煩雑になる問題がある。
【００２１】
本発明の目的は上記課題を解決し、メモリ性を有する表示手段を備えたＩＣカードにおいて、表示の書き換え動作を確実に行い、表示品質に優れ、使いやすく利便性の良い表示付きＩＣカード及びそれを用いた通信システムを提供することである。
【課題を解決するための手段】
【００２２】
上記課題を解決するために、本発明の表示付きＩＣカード及びそれを用いた通信システムは、下記記載の構成を採用する。
【００２３】
本発明の表示付きＩＣカードは、メモリ性を有する表示手段を備えるものであって、表示手段の表示を新たに書き換える際に、電源オフ状態時の表示中データと新たに書き換える書き換え表示データとを一時保管する一時保管手段と、一時保管手段から表示中データのみを取り出して一時記憶する第１の一時記憶手段と、第１の一時記憶手段から表示中データを取り出して一時記憶する第２の一時記憶手段と、を備え、表示中データが、第１の一時記憶手段に一時記憶されているときに、表示手段の表示内容が書き換わらない条件のダミー駆動命令を出力して、第１の一時記憶手段から表示中データを取り出して第２の一
時記憶手段へ移し、一時保管手段に入力されている書き換え表示データを第１の一時記憶手段へ入力する制御手段を有し、さらに、表示中データと書き換え表示データとを比較して、表示手段の表示を新たに書き換えるのに必要な駆動波形を選択する駆動回路を備えたことを特徴とする。
【００２４】
また、表示中データと書き換え表示データとは、駆動回路の外部より一括して、一時保管手段へ入力されることを特徴とする。または、非接触通信用の非接触通信回路をさらに有し、表示中データと書き換え表示データとは、非接触通信回路によって一時保管手段へ一括して入力されることを特徴とする。または、表示中データを記憶する不揮発性メモリをさらに有し、表示中データは、不揮発性メモリに記憶され、不揮発性メモリから一時保管手段へ表示中データが移動することを特徴とする。
【００２５】
また、非接触による電源供給によって、電源オフ状態から電源オン状態となることを特徴とする。
【００２６】
本発明の通信システムは、これらの表示付きＩＣカードと、表示付きＩＣカードに対して非接触によって、書き換え表示データの入力と電源オン状態とする電源供給を行うリーダライタと、を含むことを特徴とする。
【発明の効果】
【００２７】
上記の如く本発明によれば、メモリ性を有する表示手段が電源オフ状態から電源オン状態になったときに、新しく表示を書き換える際、電源オフ時の表示中データと新しい書き換え表示データとを一旦保存し、それぞれのデータを二つの一時記憶手段に順に推移させることによって、電源オン時の連続表示書き換えと同様に、書き換えに必要な駆動波形を容易に選択でき、かつ必要な電極だけを書き換えるので、駆動回路を複雑化させずに、かつ表示のリセット動作が不要となり、ちらつきや残像のない表示品質に優れた表示付きＩＣカードを提供できる。また、表示付きＩＣカードは、非接触によって電源供給及び表示データの通信をリーダライタによって行うので、表示の書き換えを容易に行うことが出来、使いやすく利便性に優れた表示付きＩＣカードの通信システムを実現することが出来る。
【図面の簡単な説明】
【００２８】
【図１】本発明の第１の実施形態の表示付きＩＣカードの電気的な構成例を示すブロック図である。
【図２】本発明の第１の実施形態の駆動波形選択回路とドライバ回路の詳細を説明するブロック図である。
【図３】本発明の第１の実施形態の表示付きＩＣカードの機械的な構造を説明する平面図である。
【図４】本発明の第１の実施形態の全体の動作の流れを説明するフローチャートである。
【図５】本発明の第１の実施形態の各回路の動作タイミングを説明するタイミングチャートである。
【図６】本発明の第１の実施形態の各回路が記憶する表示データの推移例と駆動波形選択回路の動作を示す説明図である。
【図７】本発明の第２の実施形態の全体の動作の流れを説明するフローチャートである。
【図８】本発明の第３の実施形態の通信システムの構成例を示すブロック図である。
【図９】電気泳動表示素子による表示パネルの構造を説明する断面図である。
【図１０】電気泳動表示素子による表示パネルの動作原理を説明する拡大断面図である。
【図１１】電気泳動表示素子による表示パネルの数字キャラクタを表示する一例を示す平面図である。
【図１２】電気泳動表示素子による表示パネルに数字「２」を表示した状態から数字「３」を表示する状態へ変化させる場合の説明図である。
【発明を実施するための形態】
【００２９】
以下図面により本発明の実施の形態を詳述する。
［各実施形態の特徴］
第１の実施形態の特徴は、本発明の基本的な構成例であり、メモリ性を有する表示手段が電源オン状態となったときの表示書き換え時に、電源オフ時に表示していた表示中データと新しい書き換え表示データとを一旦保管し、この２つのデータを、順次２つの一時記憶手段に移し変え、通常の電源オン時の連続表示書き換えの駆動と同じように、書き換えが必要な表示セグメントだけを書き換える構成を有する一方向通信の表示付きＩＣカードの構成例である。また、第２の実施形態の特徴は、表示データの受信の前に、ＩＣカードのＩＤ番号等を送信する双方向通信が可能な表示付きＩＣカードの構成例である。また、第３の実施形態の特徴は、本発明の表示付きＩＣカードを用いた通信システムであって、表示付きＩＣカードと非接触によって表示データの通信及び電源供給を行うことである。
【実施例１】
【００３０】
［第１の実施形態の電気的構成説明：図１］
本発明の第１の実施形態の表示付きＩＣカードの電気的な構成例を図１を用いて説明する。図１において、符号１は本発明の第１の実施形態の表示付きＩＣカードである。なお、符号２は後述する第２の実施形態の表示付きＩＣカードを示す。
ここで、表示付きＩＣカード１は、ＲＦＩＤ用ＩＣ１０（以下、ＲＦＩＤ１０と略す）と、制御手段としてのマイクロコンピュータ２０（以下、マイコン２０と略す）と、ＥＩＮＫドライバ３０、電源回路４０、及び、メモリ性を有する表示手段としての電気泳動表示素子による表示パネル５０を有している。
【００３１】
ＲＦＩＤ１０は、Ｒａｄｉｏ ＦｒｅｑｕｅｎｃｙＩＤｅｎｔｉｆｉｃａｔｉｏｎ（ＲＦＩＤ）と呼ばれる電磁誘導方式による非接触の近距離無線通信用の非接触通信回路である。このＲＦＩＤ１０は、電磁誘導によって外部と非接触でデータの入出力を行う非接触ＩＯ１１及び信号線を介して受信したデータを他の回路と入出力を行うＩＯレジスタ１２を有している。
【００３２】
また、ＲＦＩＤ１０の非接触ＩＯ１１は、ＲＦＩＤ１０の外部に設けられた通信用アンテナ１４と接続する。なお、ＲＦＩＤ１０は、電磁誘導方式に限定されず、電波方式でもよい。電源発生回路４０ａは、その外部に設けられた電源用アンテナ１５と接続し、電磁誘導によって非接触で電源を発生する。電源回路４０の電源電圧発生回路１３は直流電圧を発生し、ＲＦＩＤ１０とマイコン２０とＥＩＮＫドライバ３０に電源を供給するが、各回路への電源ラインの図示は省略する。なお、電源電圧発生回路４０ａは、ＲＦＩＤ１０の内部に設けてもよい。
【００３３】
マイコン２０は、表示付きＩＣカード１の全体を制御するコントローラとしての機能を有しており、外部とデータの入出力を行うＩＯレジスタ２１、表示データなどを記憶する一時保管手段であるＲＡＭ２２を有している。
【００３４】
ＥＩＮＫドライバ３０は、表示パネル５０を駆動する電気泳動表示素子用のドライバＩＣであり、汎用の、つまり常時電源オン状態の場合に表示内容を次々と新たに書き換えることを行う一般的なドライバＩＣでよい。このＥＩＮＫドライバ３０は、外部と表示データの入出力を行うＩＯレジスタ３１、一時記憶手段としてのラッチ１回路３２とラッチ２回路３３、ラッチ１回路３２の出力であるラッチ１データＬ１とラッチ２回路３３の出力であるラッチ２データＬ２を入力する駆動波形選択手段としての駆動波形選択回路３４、表示パネル５０を駆動するための複数のセグメント駆動電圧ＶＳＥＧを出力するドライバ回路３５、及び、マイコン２０からの命令を記憶するコマンドレジスタ３６（以下、コマンドＲ３６と略す）を有している。
【００３５】
第１の一時記憶手段であるラッチ１回路３２は、ラッチクロックＣＬ１によってＩＯレジスタ３１のデータを記憶し、ラッチ１データＬ１として出力する。また、ラッチ２回路３３は、ラッチクロックＣＬ２によってラッチ１データＬ１を記憶し、ラッチ２データＬ２として出力する。このラッチ１回路３２とラッチ２回路３３は共に表示データを記憶し、後述する表示パネル５０が８桁表示を行う場合は、一例として１桁を１バイトで表すとして、それぞれが８バイト構成となる。また、駆動波形選択回路３４とドライバ回路３５の詳細は後述する。
【００３６】
表示パネル５０は、図９〜図１２で前述した帯電粒子が電気泳動によって移動する電気泳動型表示パネルを一例として採用した。先の構成と同様なものは同一符号を付し、表示形態は一例として図１１で示したセブンセグメントキャラクタＳＣを８個並べた８桁表示の構成とする。表示パネル５０の複数のセグメント電極は、ＥＩＮＫドライバ３０からのセグメント駆動電圧ＶＳＥＧに接続され、また、表示パネル５０のコモン電極ＣＯＭは０Ｖに接続される。
【００３７】
また、表示付きＩＣカード１のＲＦＩＤ１０、マイコン２０、ＥＩＮＫドライバ３０は、一般的なシリアル通信方式のバスＢ１によって接続され、データの入出力を行う。すなわち、ＲＦＩＤ１０に内蔵するＩＯレジスタ１２がバスＢ１に接続し、マイコン２０に内蔵するＩＯレジスタ２１がバスＢ１に接続し、ＥＩＮＫドライバ３０に内蔵するＩＯレジスタ３１とコマンドＲ３６がバスＢ１に接続して、各ＩＣ間でデータの入出力が実施される。なお、バスＢ１はシリアルに限定されずパラレル接続でも良く、また、バス方式ではなく、ＩＣ間を個別の信号線で接続してもよい。
【００３８】
［駆動波形選択回路とドライバ回路の構成説明：図２］
次に、ＥＩＮＫドライバ３０に内蔵する駆動波形選択回路３４とドライバ回路３５の構成例を図２を用いて説明する。ここで、駆動波形選択回路３４とドライバ回路３５は、前述したように８桁表示の表示パネル５０の各セグメントを駆動する構成であるが、図２では説明を分かりやすくするために、１桁のセブンセグメント表示を駆動すると仮定して説明する。
【００３９】
図２において、駆動波形選択回路３４は、比較回路３４ａとデコーダ回路３４ｂを有し
ている。比較回路３４ａは、ラッチ１データＬ１とラッチ２データＬ２を入力する。ここで表示データの詳細は後述するが、ラッチ１データＬ１は新しい書き換え表示データであり、ラッチ２データＬ２は現在の表示中データである。このラッチ１データＬ１とラッチ２データＬ２は、図２では表示パネル５０で１桁表示を行うと仮定しているので、各１バイト構成とする。
【００４０】
比較回路３４ａは、新しい書き換え表示データ（ラッチ１データＬ１）と現在の表示中データ（ラッチ２データＬ２）とを比較して、表示データの推移を推移データＰ１として出力し、デコーダ回路３４ｂに入力する。デコーダ回路３４ｂは推移データＰ１を入力し、表示パネル５０のセブンセグメントの各セグメント電極Ｓ０〜Ｓ６に、どのような駆動電圧を印加するかを各２ビットで構成する書き換えコードＣ０〜Ｃ６として出力する。
【００４１】
ドライバ回路３５は、書き換えコードＣ０〜Ｃ６を入力し、表示パネル５０の各セグメント電極ＳＥＧを駆動するセグメント駆動電圧ＶＳＥＧ０〜ＶＳＥＧ６を出力する。また、セグメント駆動電圧ＶＳＥＧ０〜ＶＳＥＧ６の電源となる正電圧＋Ｖと負電圧−Ｖを内蔵する電源回路（図示せず）から入力する。ここで、正電圧＋Ｖは一例として＋１５Ｖであり、負電圧−Ｖは一例として−１５Ｖである。なお、前述したように、実際の表示パネル５０が８桁表示であるとするならば、駆動波形選択回路３４とドライバ回路３５は、８桁分の回路が直列に並んだ回路構成となる。
【００４２】
［第１の実施形態の機械的構造の説明：図３］
次に、第１の実施形態の表示付きＩＣカードの機械的構造の概略を図３を用いて説明する。図３において、表示付きＩＣカード１はカード形状の薄い実装基板３を有し、実装基板３の表面に２つのループアンテナを設けている。１つは実装基板３の外周に沿って設けた電源用アンテナ１５であり、もう１つは電源用アンテナ１５の内側にあって図中左側に略正方形状に形成したデータ通信用の通信用アンテナ１４である。これら２つのアンテナは、実装基板３のベースフィルム上に銅箔などの金属材料でループ状に形成するが、詳細なパターンの図示は省略している。
【００４３】
また、実装基板３の表面の電源用アンテナ１５の内側には、前述したＲＦＩＤ１０、マイコン２０、ＥＩＮＫドライバ３０、電源回路４０を実装している。また、電源用アンテナ１５の内側にあって、図中右上側に表示パネル５０が実装基板３上に配置している。この表示パネル５０は、前述したように８桁のセブンセグメントで構成されている。なお、表示パネル５０の表示形態は限定されず、表示の桁数は任意であり、また、図示しないが各桁のセグメント電極を増やすことで、英文字表示も可能であり、さらにはドットマトリクス状の表示形態でも良い。
【００４４】
また、実装基板３上のそれぞれの部品は、銅箔などによる配線パターンによって電気的に接続されるが、配線パターンの図示は省略している。なお、図示しないが、表示付きＩＣカード１は、実装基板３の表面と裏面がそれぞれ保護部材で覆われて完成する。
【００４５】
ここで、本発明の表示付きＩＣカード１は、電源レス（電池レス）のシステムである。すなわち、非接触によって電源供給を行っており、電源用アンテナ１５により、外部からの電磁誘導によって交流電圧を発生させ、その交流電圧を電源電圧発生回路１３（図１参照）によって整流して表示付きＩＣカード１の電源としている。このため、表示付きＩＣカード１は、電池が不要であるので通常のＩＣカードと同様に薄いシート状の形態を採用でき、また、電池交換を必要としないために、コストが安く、長期間の使用が可能となるメリットを有している。
【００４６】
［第１の実施形態の動作説明：図４、図５］
次に第１の実施形態の表示付きＩＣカードの動作の概略を図４のフローチャートと図５のタイミングチャートを用いて説明する。ここで、図４は表示付きＩＣカード１の全体の動作フローを説明し、図５は各回路の動作タイミングを説明する。なお、表示付きＩＣカード１の全体の構成は図１を参照し、ＥＩＮＫドライバ３０の駆動波形選択回路３４とドライバ回路３５の構成は図２を参照とする。また、表示付きＩＣカード１の外部には、電力用のキャリアと表示データを送信する外部装置（図示せず）が配置されていることを前提として説明する。
【００４７】
図４において、外部装置が表示付きＩＣカード１に対して所定の周波数による電力用のキャリアを送信する（図４：ステップＳＴ１）。
【００４８】
次に表示付きＩＣカード１は、外部装置からのキャリアを電源用アンテナ１５によって電磁誘導で受信し、ＲＦＩＤ１０の電源電圧発生回路１３が受信した交流信号を整流して直流電圧に変換し、ＦＲＩＤ１０、マイコン２０、ＥＩＮＫドライバ３０に電源電圧として供給し、表示付きＩＣカード１を電源オン状態とする（図４：ステップＳＴ１０、図５：タイミングＴ１）。
【００４９】
次に外部装置は、キャリアを所定の方式で変調して、表示付きＩＣカード１の電源オフ状態のときから表示している表示中データと新しい書き換え表示データとを一括して送信する（図４：ステップＳＴ２）。ここで、表示データを前述したように１桁を１バイトとする８バイトデータとして構成するならば、現在の表示中データが８バイト、新しい書き換え表示データが８バイトで、合計１６バイトの表示データが送信される。
【００５０】
次に、表示付きＩＣカード１は、外部装置からの１６バイトの表示データを通信用アンテナ１４によって電磁誘導で受信し、ＲＦＩＤ１０のＩＯレジスタ１２に記憶する（図４：ステップＳＴ１１、図５：タイミングＴ２）。すなわち、ＲＦＩＤ１０は、タイミングＴ２で、現在の表示中データと新しい書き換え表示データを、１回の受信動作で一括して入力する。
【００５１】
次に、マイコン２０は、バスＢ１を介して、ＲＦＩＤ１０のＩＯレジスタ１２の１６バイトの表示データをＩＯレジスタ２１に入力し、一時保管手段であるＲＡＭ２２に記憶する（図５：タイミングＴ３）。
【００５２】
次に、マイコン２０は、ＲＡＭ２２に記憶した表示データの８バイトの現在の表示中データを、バスＢ１に接続するＥＩＮＫドライバ３０のＩＯレジスタ３１を介して、第１の一時記憶手段であるラッチ１回路３２に入力する（図４：ステップＳＴ１２、図５：タイミングＴ４）。具体的には、現在の表示中データがＩＯレジスタ３１に転送された後、ラッチクロックＣＬ１が発生して、ＩＯレジスタ３１のデータがラッチ１回路３２にコピーされる。これにより、ＥＩＮＫドライバ３０のラッチ１回路３２に、現在の表示中データが記憶される。
【００５３】
次に、マイコン２０は、ＥＩＮＫドライバ３０のコマンドＲ３６に対してダミー駆動命令を出力し、ＥＩＮＫドライバ３０は、ダミー駆動を実行する（図４：ステップＳＴ１３、図５：タイミングＴ５）。このダミー駆動命令は、表示パネル５０に対して、表示内容が書き換わらない条件である駆動波形の駆動電圧が０Ｖで、且つ、最小パルス幅に設定した表示書き換え命令である。
【００５４】
このダミー駆動命令が実行されても、駆動波形の駆動電圧が０Ｖで、且つ、パルス幅が最小であるので、表示パネル５０に対して駆動電圧が出力されないので、表示内容は書き換わらないが、ダミー駆動命令の実行後、ラッチクロックＣＬ２が発生して、ラッチ１回
路３２に記憶されている現在の表示中データ（すなわち、ラッチ１データＬ１）が、第２の一時記憶手段であるラッチ２回路３３にコピーされ、ラッチ２回路３３は現在の表示中データを記憶する（図５：タイミングＴ６）。すなわち、ダミー駆動命令を実行する目的は、ラッチクロックＣＬ２を出力して、現在の表示中データをラッチ２回路３３に移動するためである。
【００５５】
次に、マイコン２０は、ＲＡＭ２２に記憶した表示データの残りの８バイトの新しい書き換え表示データを、バスＢ１に接続するＥＩＮＫドライバ３０のＩＯレジスタ３１を介してラッチ１回路３２に入力する（図４：ステップＳＴ１４、図５：タイミングＴ７）。具体的には、新しい書き換え表示データがＩＯレジスタ３１に転送された後、ラッチクロックＣＬ１が発生して、ＩＯレジスタ３１のデータがラッチ１回路３２にコピーされる。これにより、ＥＩＮＫドライバ３０のラッチ１回路３２に、新しい書き換え表示データが記憶される。
【００５６】
このように、マイコン２０は、ステップＳＴ１２からＳＴ１４を実行することによって、一括して入力した現在の表示中データと新しい書き換え表示データを元の２つの表示データに分離して、ＥＩＮＫドライバ３０のラッチ１回路３２とラッチ２回路３３に順次書き込むのである。
【００５７】
次に、マイコン２０は、ＥＩＮＫドライバ３０のコマンドＲ３６に対して表示書き換え命令を出力し、ＥＩＮＫドライバ３０は表示書き換え駆動を実行する（図４：ステップＳＴ１５、図５：タイミングＴ８）。この表示書き換え命令は、駆動波形として所定の駆動電圧と所定のパルス幅を設定し、更に、ラッチ１回路３２とラッチ２回路３３の表示データを比較して、所定の正または負の駆動電圧を選択した駆動波形を出力し、表示パネル５０の表示を書き換えるための命令である。なお、駆動波形の詳細は後述する。
【００５８】
次に表示書き換え命令によって、所定の駆動波形が所定の時間出力されたのち、ラッチクロックＣＬ２が出力して、ラッチ１回路３２に記憶されている表示データがラッチ２回路３３にコピーされる（図５：タイミングＴ９）。
【００５９】
次に外部装置は、所定の時間経過後に電力用のキャリアの送信を停止する（図４：ステップＳＴ３）。
【００６０】
次に、表示付きＩＣカード１は、外部装置からのキャリア送信が停止すると、電源回路４０の電源電圧発生回路１３からの電源電圧が低下し、マイコン２０とＥＩＮＫドライバ３０は動作を停止するので、表示付きＩＣカード１は、電源オフ状態となる（図４：ステップＳＴ１６、図５：タイミングＴ１０）。これにより、表示付きＩＣカード１の表示パネル５０の各セグメント電極ＳＥＧは電圧０Ｖとなるが、表示パネル５０はメモリ性を有する電気泳動表示素子であるので、新しく書き換えられた表示情報が継続して表示される。この結果、使用者は表示付きＩＣカード１が電源オフ状態であっても、長時間、表示情報を確認することが出来る。
【００６１】
［表示データの推移と駆動波形選択回路の動作説明：図６］
次に、前述した表示付きＩＣカード１の表示書き換え動作において、ＲＦＩＤ１０のＩＯレジスタ１２、マイコン２０のＲＡＭ２２、ＥＩＮＫドライバ３０のラッチ１回路３２とラッチ２回路３３が記憶する表示データがどのように推移し、その表示データの推移によって、駆動波形選択回路３４がどのように動作するかの一例を図６を用いて説明する。
【００６２】
図６（ａ）は、各回路が記憶する表示データの推移を示しており、図６（ｂ）は、駆動波形選択回路３４の動作例を示している。なお、駆動波形選択回路３４の構成は図２を参
照し、各動作のタイミングは図５を参照する。また、現在の表示中データが８桁の（１１１１１１１１）であり、新しい書き換え表示データが８桁の（２２２２２２２２）であるとして説明する。
【００６３】
図６（ａ）において、ＲＦＩＤ１０が表示データを一括して受信すると、ＩＯレジスタ１２の上位の８バイトには、現在の表示中データ（１１１１１１１１）が入力し、下位の８バイトには、新しい書き換え表示データ（２２２２２２２２）が入力する（タイミングＴ２）。なお、ＩＯレジスタ１２の上位下位は限定されず、また、表示データの桁数は任意である。
【００６４】
次に、マイコン２０は、一括して受信した１６バイトの表示データをＲＦＩＤ１０から読み込み、ＲＡＭ２２のアドレスＡＤ１に８バイトの現在の表示中データを書き込み、アドレスＡＤ２に８バイトの新しい書き換え表示データを書き込む（タイミングＴ３）。
【００６５】
次に、マイコン２０が、ＲＡＭ２２のアドレスＡＤ１の現在の表示中データを読み出してＥＩＮＫドライバ３０に転送すると、ＥＩＮＫドライバ３０のラッチ１回路３２に現在の表示中データが書き込まれる（タイミングＴ４）。
【００６６】
次に、マイコン２０によってダミー駆動命令が実行されると、ラッチ１回路３２の現在の表示中データが、ラッチ２回路３３にコピーされる（タイミングＴ６）。
【００６７】
次に、マイコン２０が、ＲＡＭ２２のアドレスＡＤ２の新しい書き換え表示データを読み出してＥＩＮＫドライバ３０に転送すると、ＥＩＮＫドライバ３０のラッチ１回路３２に新しい書き換え表示データが書き込まれる（タイミングＴ７）。
【００６８】
以上の動作によって、ＥＩＮＫドライバ３０のラッチ１回路３２には、新しい書き換え表示データ“２２２２２２２２”が記憶され、ラッチ２回路３３には、現在の表示中データ“１１１１１１１１”が記憶される。この一連の動作は、マイコン２０の制御によって実施される。
【００６９】
次に、マイコン２０からＥＩＮＫドライバ３０のコマンドＲ３６に、表示書き換え命令が出力されると、ＥＩＮＫドライバ３０の比較回路３４ａは、新しい書き換え表示データと現在の表示中データとを比較して、桁ごとに推移データＰ１を出力する。この推移データＰ１は、この例では表示データが“１”から“２”に変化することを表すコードとして出力され、この推移データＰ１が、デコーダ回路３４ｂに入力する（図２参照）。
【００７０】
次にデコーダ回路３４ｂは推移データＰ１を入力し、２ビットで構成する７つの書き換えコードＣ０〜Ｃ６を出力する。この書き換えコードＣ０〜Ｃ６は、表示パネル５０のセブンセグメントの各セグメントに対応しており、書き換えコードＣ０はセグメントＳ０、書き換えコードＣ１はセグメントＳ１、以下同様に書き換えコードＣ６はセグメントＳ６となる。
【００７１】
図６（ｂ）は、現在の表示中データが数字“１”であり、新しい書き換え表示データが数字“２”である場合、駆動波形選択回路３４が各セグメントＳ０〜Ｓ６に対応する書き換えコードＣ０〜Ｃ６をどのように出力するかの一例を示している。図６（ｂ）において、現在の表示中データが数字“１”である場合、セブンセグメントのセグメントＳ１とＳ２が黒表示であり、セグメントＳ０、Ｓ３、Ｓ４、Ｓ５、Ｓ６が白表示である。また、新しく書き換える表示が数字の“２”である場合は、セブンセグメントのＳ０、Ｓ１、Ｓ３、Ｓ４、Ｓ６が黒表示であり、セグメントＳ２、Ｓ５が白表示となる。
【００７２】
駆動波形選択回路３４に内蔵するデコーダ回路３４ｂは、上記の情報に基づいて各セグメントＳ０〜Ｓ６に対応した書き換えコードＣ０〜Ｃ６を出力する。すなわち、セグメントＳ０、Ｓ３、Ｓ４、Ｓ６は白→黒に書き換えるので、書き換えコードＣ０、Ｃ３、Ｃ４、Ｃ６は“１”を出力する。また、セグメントＳ２は黒→白に書き換えるので、書き換えコードＣ２は“２”を出力する。また、セグメントＳ１は黒→黒、セグメントＳ５は白→白であって、表示の書き換えが必要ないので、書き換えコードＣ１とＣ５は、“０”を出力する。このように、書き換えコードＣ０〜Ｃ６は、各セグメントを書き換える動作を“０”、“１”、“２”の２ビットのコードとして出力する。
【００７３】
次にドライバ回路３５は、駆動波形選択回路３４からの書き換えコードＣ０〜Ｃ６を入力し、書き換えコードが“０”である場合は、セグメント駆動電圧ＶＳＥＧは表示の書き換えを行わないので、駆動電圧０Ｖの駆動波形を出力する。すなわち、書き換えコードが“０”である場合は、書き換えが必要ないので駆動波形は出力されない。
【００７４】
また、書き換えコードが“１”である場合は、表示を白→黒に書き換えるために、セグメント駆動電圧ＶＳＥＧは、所定の時間（一例として２００ｍＳ位）だけ正電圧＋Ｖとなる駆動波形を出力する（図５：駆動波形１）。また、書き換えコードが“２”である場合は、表示を黒→白に書き換えるために、セグメント駆動電圧ＶＳＥＧは、所定の時間だけ負電圧−Ｖとなる駆動波形を出力する（図５：駆動波形２）。
【００７５】
以上のように、本発明の第１の実施形態の表示付きＩＣカード１は、電気泳動表示素子による表示パネル５０の書き換え動作において、外部装置から現在の表示中データと新しい書き換えデータとの両方を入力し、この２つの表示データを比較して表示の推移を判定し、書き換えが必要な表示セグメントだけを、白→黒、または、黒→白に書き換えるように構成している。これにより、表示を書き換えるために通常行われる表示を一時的に全白、または、全黒にするリセット動作が不要となり、表示のちらつきや残像のない表示品質に優れた表示付きＩＣカードを提供することが出来る。
【００７６】
また、表示内容を書き換える度に、現在の表示中データを入力することによって、ＩＣカードの内部にＥＥＰＲＯＭなどの不揮発性メモリを設ける必要がないので、回路規模を縮小でき、ＩＣ実装の簡略化、表示制御の簡単化などを図ることができる。
【００７７】
また、現在の表示中データと新しい書き換え表示データは、外部装置側から１回の受信動作で一括して入力するので、外部装置との通信を短時間で実施することが出来、使用者にとって操作しやすく使いやすい表示付きＩＣカードを提供できる。
【００７８】
また、一括して入力した２つの表示データは、内蔵するマイコン２０によって現在の表示中データと新しい書き換え表示データに分離し、ダミー駆動という手法を用いて、現在の表示中データと新しい書き換え表示データを別々のデータとして順番にＥＩＮＫドライバ３０に転送している。これにより、ＥＩＮＫドライバ３０は、一般的な汎用品のドライバＩＣを使用できるので、専用のＥＩＮＫドライバを開発する必要が無く、コストが安く、且つ、短期間で製品化できる表示付きＩＣカードを実現することが出来る。
【００７９】
この第１の実施形態は、外部装置から表示データの送信だけを行う一方向通信のみの表示付きＩＣカードであるので、利用例としては限定されるが、表示品質に優れた簡易的な表示付きＩＣカードとして利用することが可能である。
【実施例２】
【００８０】
次に、本発明の第２の実施形態の表示付きＩＣカード２を説明する。なお、第２の実施形態の表示付きＩＣカード２は、第１の実施形態と電気的構成（図１、図２）や機械的構
造（図３）が同様であるので、各要素は同一符号を付して構成の説明は省略し、第２の実施形態の特有の動作を中心に以下説明する。
【００８１】
［第２の実施形態の動作説明：図７］
第２の実施形態の表示付きＩＣカード２の動作の概略を図７のフローチャートを用いて説明する。なお、第２の実施形態の動作タイミングは、前述した第１の実施形態のタイミングチャート（図５）と基本動作は同様であるので説明は省略する。なお、前述したように、第２の実施形態の電気的構成は第１の実施形態と同様であるので、構成は図１、図２を参照とする。また、表示付きＩＣカード２の外部には、電力用のキャリアと表示データを送信する外部装置（図示せず）が配置されていることを前提として説明する。
【００８２】
図７において、表示付きＩＣカード２を制御する外部装置から、所定の周波数による電力用のキャリアを送信する（ステップＳＴ４）。
【００８３】
次に、表示付きＩＣカード２は、外部装置からのキャリアを電源用アンテナ１５によって電磁誘導で受信し、ＲＦＩＤ１０の電源電圧発生回路１３が受信した交流信号を整流して直流電圧に変換し、ＦＲＩＤ１０、マイコン２０、ＥＩＮＫドライバ３０に電源電圧として供給し、表示付きＩＣカード２を電源オン状態とする（ステップＳＴ２０）。
【００８４】
次に、表示付きＩＣカード２の電源オンによって、マイコン２０が起動し、予め記憶されているカード固有のＩＤ番号をＲＦＩＤ１０から通信用アンテナ１４を用いて送信する（ステップＳＴ２１）。
【００８５】
次に外部装置は、表示付きＩＣカード２からのＩＤ番号を受信して、表示付きＩＣカード２の識別を行う（ステップＳＴ５）。
【００８６】
次に外部装置は、受信したＩＤ番号を認識出来た場合、次のステップＳＴ７に進み、認識できなかった場合は、ステップＳＴ８に進んでキャリア送信を停止して処理を中止する（ステップＳＴ６）。
【００８７】
次に外部装置は、ステップＳＴ７において、キャリアを所定の方式で変調して、認識した表示付きＩＣカード２の現在の表示中データと新しい書き換え表示データとを一括して送信する。ここで、表示データは、一例として１桁を１バイトとする８バイトデータとして構成し、合計１６バイトの表示データが送信される。
【００８８】
次に、表示付きＩＣカード２は、外部装置からの１６バイトの表示データを通信用アンテナ１４によって電磁誘導で受信して、新しい表示データの書き換え動作を実施するが、一連の動作は、前述した第１の実施形態の図４で示したステップＳＴ１１〜ＳＴ１５と同様であるので、ここでの説明は省略する（ステップＳＴ２２）。
【００８９】
次に外部装置は、ステップＳＴ７から所定の時間経過後、電力用のキャリアの送信を停止する（ステップＳＴ８）。なお、外部装置は、表示付きＩＣカード２から、表示書き換え終了信号を受信してからステップＳＴ８を実行しても良い。
【００９０】
次に、表示付きＩＣカード２は、外部装置からのキャリア送信が停止すると、ＲＦＩＤ１０の電源電圧発生回路１３からの電源電圧が低下し、マイコン２０とＥＩＮＫドライバ３０は動作を停止するので、表示付きＩＣカード２は、電源オフ状態となる（ステップＳＴ２３）。
【００９１】
以上のように、第２の実施形態の表示付きＩＣカード２は、外部装置によってＩＤ番号
の識別が行われた後に表示データを書き換えるので、表示付きＩＣカード２が多数存在しても、個々のＩＣカードを識別し、正確に表示データの書き換えを実行することが可能となる。
【００９２】
この第２の実施形態の表示付きＩＣカード２は、一例として電子マネーなどに利用することが出来る。現在、ＩＣカードの形態で多く利用されている電子マネーは、現在の残金を知るには、店舗などに出向いてリーダで読まなければ知ることが出来ない。しかし、本発明の表示付きＩＣカード２を電子マネーとして利用するならば、店舗などでの支払や、チャージを行うごとに、現在の残金を表示でき、その表示内容は表示パネルがメモリ性を有するので長期間保持することが可能である。これにより、使用者にとって利便性に優れた表示付きＩＣカードを提供することが出来る。なお、電子マネーとして表示付ＩＣカードを使用する場合は、ＲＦＩＤ１０の中に、セキュリティー機能で保護された不揮発性メモリを持っているが、説明を簡単にするために省略する。その場合には、表示中データは、電源オフ状態中に不揮発性メモリに記憶され、電源オン時に不揮発性メモリから一時保管手段のＲＡＭへ表示中データが移動する。移動する手順は先に記載したとおりである。
【実施例３】
【００９３】
［第３の実施形態の通信システムの構成説明：図８］
次に、第３の実施形態として、本発明の表示付きＩＣカードを用いた通信システムの構成の一例を図８を用いて説明する。図８において、符号２は前述の第２の実施形態で示した表示付きＩＣカードである。表示付きＩＣカード２は、電気泳動表示素子による表示パネル５０と通信用アンテナ１４、電源用アンテナ１５を有している。
【００９４】
また、符号４１は、非接触によって表示付きＩＣカード２に対して、電源供給、及びＩＤ番号や表示データの通信を行うリーダライタである。リーダライタ４１は電源供給と通信用のアンテナ４１ａを有しており、表示付きＩＣカード２に内蔵する通信用アンテナ１４、電源用アンテナ１５と磁束結合方式によって結合する。
【００９５】
また、符号４２はリーダライタを制御するコントローラであり、符号４３は表示付きＩＣカード２のＩＤ番号の識別や表示データなどを管理記憶するサーバである。
【００９６】
［第３の実施形態の通信システムの動作説明：図８］
次に、第３の実施形態の通信システムの動作の概略を図８を用いて説明する。なお、第３の実施形態で用いられる表示付きＩＣカード２は、第２の実施形態で示したＩＤ番号によってＩＣカードの識別を行う電子マネー機能を備えたＩＣカードであることを前提として説明する。従って、表示付きＩＣカード２の動作は、前述の図７で示した動作フローと同様であるので、ここでは通信システムとしての動作を中心に説明する。
【００９７】
図８において、コントローラ４２はリーダライタ４１を制御して、リーダライタ４１のアンテナ４１ａから周期的にキャリアを送信して識別可能なＩＣカードの応答を待つ。
【００９８】
表示付きＩＣカード２は、リーダライタ４１からのキャリアを電源用アンテナ１５で受信すると、前述したように電源オン状態となり、ＩＤ番号及び必要に応じてパスワード等をリーダライタ４１に送信する。
【００９９】
コントローラ４２は、応答した表示付きＩＣカード２のＩＤ番号及びパスワード等をリーダライタから受け取り、その情報をインターネット等を介してサーバ４３に送る。
【０１００】
サーバ４３は、受け取ったＩＤ番号とパスワード等を識別し、表示付きＩＣカード２を正常に認識できれば、必要な処理を行ったのち、表示付きＩＣカード１の現在の表示中デ
ータと、処理によって発生した新しい書き換え表示データをコントローラ４２を介してリーダライタ４１から表示付きＩＣカード２に送信する。これにより、表示付きＩＣカード１は、現在の表示中データと新しい書き換え表示データとを受け取ることが出来るので、第１の実施形態で説明したように、表示パネル５０は表示データが書き換えられる際に、表示のちらつきや残像のない良好な表示状態を実現することが出来る。
【０１０１】
［電子マネーとしての使用例：図８］
次に、電子マネーとして使用する表示付きＩＣカード２の使用者（図示せず）が、所定の金額を電子マネーにチャージする場合について図８を用いて説明する。使用者が表示付きＩＣカード２をリーダライタ４１に近づけて表示付きＩＣカード２を電源オンさせ、ＩＤ番号等をリーダライタ４１に送信する。
【０１０２】
次にサーバ４３は、ＩＤ番号を識別してチャージに必要な一連の処理を行ったのちに、現在の表示中データ（すなわち、現在の残金額）と、チャージによって書き換えられる新しい表示データ（チャージによって加算された残金額）の２つの表示データをコントローラ４２を介してリーダライタ４１から表示付きＩＣカード２に送信する。
【０１０３】
これにより、表示付きＩＣカード２は、チャージによって加算された金額を新しい表示データとして表示パネル５０に表示することが出来る。そして、表示パネル５０は、メモリ性の電気泳動表示素子であるので、表示付きＩＣカード２がリーダライタ４１から離れて電源がオフになっても表示内容は消えないので、使用者は間違いなく指定した通りにチャージが実行されて、電子マネーの残金が加算されたことを表示付きＩＣカード２自身で確認することが出来る。なお、チャージされた残額は、ＲＦ−ＩＤチップの不揮発メモリに、セキュリティー処理を行った後、記憶されてもよい。その後は、先の実施例と同様に、表示中データは、電源オフ状態中に不揮発性メモリに記憶され、電源オン時に不揮発性メモリから一時保管手段のＲＡＭへ表示中データが移動する。
【０１０４】
以上のように、本発明の表示付きＩＣカードを用いた通信システムによれば、表示付きＩＣカードに対して、現在の表示中データと新しい書き換え表示データの２つの表示データを外部装置であるリーダライタから送信することによって、表示の書き換え時にちらつきや残像が生じることがない表示品質に優れた表示付きＩＣカードを提供することが出来る。また、外部装置に対して非接触によって、ＩＣカードとしての様々な機能や、表示内容の書き換えを行うことが出来るので、使用者にとって利便性に優れた通信システムを提供することが出来る。
【０１０５】
また、図８において、コントローラ４２に、表示付きＩＣカード２を識別する機能等を持たせるならば、サーバ４３は無くても良い。また、第３の実施形態は、ＩＤ番号などを送信する双方向通信を行う表示付きＩＣカード２を用いたが、これに限定されず、一方向通信の第１の実施形態の表示付きＩＣカード１を用いてもよい。なお、本発明の実施例で示したブロック図やフローチャート等は、これに限定されるものではなく、本発明の要旨を満たすものであれば、任意に変更することが出来る。
【０１０６】
また、本実施例では、マイコンのRAMを一時保管手段として用いたが、ＲＦＩＤのＩＯレジスタ、またはマイコンのＩＯレジスタを一時保管手段として用いて、表示中データと新しい書き換え表示データとをそこに一旦保管しても構わない。また、いずれの実施形態でも、電気泳動表示素子を例に示したが、メモリ性を備えた表示素子であれば、これに限定されず、例えばメモリ性を有する液晶素子を表示手段に用いた場合でも同様な効果が得られる。
【産業上の利用可能性】
【０１０７】
本発明の表示付きＩＣカード及びそれを用いた通信システムは、表示品質に優れ、また非接触で表示内容を書き換えられるので、各種の電子マネー用ＩＣカード、クレジットカード、マイレージカード、ポイントカード等に、幅広く利用することが出来る。
【符号の説明】
【０１０８】
１、２  表示付きＩＣカード
３  実装基板
１０  ＲＦＩＤ用ＩＣ（ＲＦＩＤ）
１１  非接触ＩＯ
１２、２１、３１  ＩＯレジスタ
１３  電源電圧発生回路
１４  データ用アンテナ
１５  電源用アンテナ
２０  マイコン
２２  ＲＡＭ
３０  ＥＩＮＫドライバ
３２  ラッチ１回路
３３  ラッチ２回路
３４  駆動波形選択回路
３５  ドライバ回路
３６  コマンドレジスタ（コマンドＲ）
４１  リーダライタ
４１ａ  アンテナ
４２  コントローラ
４３  サーバ
５０  表示パネル
５１  樹脂基板
５３  マイクロカプセル表面層
５４  接着剤層
５５  フレキシブルプリント基板（ＦＰＣ）
６０  マイクロカプセル
６１  カプセル殻
６２  分散媒
６３ａ  白色粒子
６３ｂ  黒色粒子
ＣＯＭ  コモン電極
ＳＥＧ  セグメント電極
ＶＳＥＧ  セグメント駆動電圧
ＣＬ１、ＣＬ２  ラッチクロック
Ｃ０〜Ｃ６  書き換えコード
Ｌ１  ラッチ１データ
Ｌ２  ラッチ２データ
Ｐ１  推移データ
【図２】
2014002694.tif 000003
【図３】
2014002694.tif 000004
【図４】
2014002694.tif 000005
【図５】
2014002694.tif 000006
【図６】
2014002694.tif 000007
【図７】
2014002694.tif 000008
【図８】
2014002694.tif 000009
【図９】
2014002694.tif 000010
【図１０】
2014002694.tif 000011
【図１１】
2014002694.tif 000012
【図１２】
2014002694.tif 000013
【図１】
2014002694.tif 000014